(57)【要約】【課題】  吊物の下端側を別途支持することなく吊物の吊り傾斜角度を任意の角度で壁などの掛面に吊り掛けることができ、しかも一つの金型で製造でき、その製造コストを安価にすることのできる吊り傾斜角度自在な吊り具を提供することにある。【解決手段】  吊物１０の裏面側１０ａの任意位置に左右の吊り紐２，３を介して吊持する吊り盤４、吊り盤４の左右両側に設けられた左右の各吊り紐係合縦軸５，６、左右の吊り紐係合縦軸５，６の側周面に形成された接触摩擦抵抗係合凹凸面７，８などから構成した。【選択図】        図２
0003112363.tif 000002
【実用新案登録請求の範囲】
【請求項１】
吊物が掛けられる掛面に着脱自在に係止され且つ吊物の裏面側の任意位置で左右の吊り紐を介して吊物を吊持する吊り盤を設け、該吊り盤の左右両側に紐係合縦軸をそれぞれ設け、左右の各紐係合縦軸の側周面にその周面方向に複数の凹凸を有し軸芯方向に沿って同一の凹凸が延伸された接触摩擦抵抗係合凹凸面を形成し、吊り盤の左右両側の上記吊り紐係合縦軸の側周面の接触摩擦抵抗係合凹凸面に任意の中間部分がそれぞれ螺旋状に係合される左右の上記各吊り紐の上下両端を吊物の裏面側の左右の上下側に設けられた吊り紐連結具にそれぞれ連結し、吊物の吊持時に吊り盤の左右両側の上記各吊り紐係合縦軸の接触抵抗係合凹凸面に対して螺旋状に係合される左右の吊り紐の任意位置の係合部分と接触摩擦抵抗係合凹凸面との接触摩擦抵抗による係止により、掛面に係止される吊り盤に対して吊物を任意の吊り傾斜角度で吊るようにしたことを特徴とする吊り傾斜角度自在な吊り具。
【請求項２】
吊物が掛けられる掛面に着脱自在に係止され且つ吊物の裏面側の任意位置で左右の吊り紐を介して吊物を吊持する吊り盤を設け、該吊り盤の左右両側に円柱形状の紐係合縦軸をそれぞれ設け、左右の各紐係合縦軸の側周面にその周面方向に複数の凹凸を有し軸芯方向に沿って同一の凹凸が延伸された接触摩擦抵抗係合凹凸面を形成し、左側吊り紐係合縦軸と右側吊り紐係合縦軸の間に基板を一体的に設けて該基板を通じて左側吊り紐係合縦軸と右側吊り紐係合縦軸を連結し、左右の吊り紐係合縦軸の上下両端側の互いに向かい合う上下側端の間に基板の上下端側に位置して互いに平行な上縁片と下縁片とを一体的に設け、基板の中央側に吊り盤を掛面の引掛具に引っ掛けられて係止されるための係止溝孔を上下方向に形成し、係止溝孔の下部に係止溝孔の溝幅より直径が大きな引掛具挿入孔を形成し、係止溝孔の引掛具挿入孔との出入り口側の両側を弾性機能を有する側片によりそれぞれ形成し、左右の吊り紐係合縦軸に接する側の基板の上下側には吊り紐が挿入される上部ガイド孔及び下部ガイド孔をそれぞれ形成し、吊り盤の左右両側の上記吊り紐係合縦軸の側周面の接触摩擦抵抗係合凹凸面に任意の中間部分がそれぞれ螺旋状に係合される左右の上記各吊り紐の上下両端を吊物の裏面側の左右の上下側に設けられた吊り紐連結具にそれぞれ連結し、吊物の吊持時に吊り盤の左右両側の上記各吊り紐係合縦軸の接触抵抗係合凹凸面に対して螺旋状に係合される左右の吊り紐の任意位置の係合部分と接触摩擦抵抗係合凹凸面との接触摩擦抵抗による係止により、掛面に係止される吊り盤に対して吊物を任意の吊り傾斜角度で吊るようにしたことを特徴とする吊り傾斜角度自在な吊り具。
【考案の詳細な説明】
【技術分野】
【０００１】
この考案は、例えば額縁、掛け時計などの吊物を壁などの掛面に掛ける場合に吊物を吊って掛けるために使用される吊り具に係り、特に、吊物の下端側を別途支持することなく吊物の吊り傾斜角度を任意の角度で壁などの掛面に吊り掛けることのできる吊り傾斜角度自在な吊り具に関するものである。
【背景技術】
【０００２】
例えば額縁を壁などの掛面に掛ける場合において、額縁の裏面側を壁などの掛面に当接させて平行にして額縁を掛ける以外に、額縁の下端を壁などの掛面に当接させ上端を壁から手前側に離し額縁を壁などの掛面に対して傾けて掛ける場合もある。
しかし、例えば額縁を壁などの掛面に対して傾けて掛ける場合、手前側に傾く額縁の上部側を紐などで吊持しようとすると、壁などの掛面に当接する額縁の下端側を別途支える必要があり、このため、額縁の下端側を支える支持具を壁などの掛面に取り付ける必要があった。
そこで、本願の出願人は、吊物の下端側を別途支持することなく吊物の吊り傾斜角度を任意の角度で壁などの掛面に吊り掛けることのできる吊り傾斜角度自在な吊り具を出願している。
【特許文献１】実願２００４−００２９５３（登録第３１０５４７７号）
【考案の開示】
【考案が解決しようとする課題】
【０００３】
しかしながら、実願２００４−００２９５３（登録第３１０５４７７号）の吊り傾斜角度自在な吊り具にあっては、吊物の下端側を別途支持することなく吊物の吊り傾斜角度を任意の角度で壁などの掛面に吊り掛けることのできる特徴を備えているが、これを製造する場合において、吊り盤の左右両側の吊り紐係合縦軸の側周面に左回りの螺旋係合溝と右回りの螺旋係合溝をそれぞれ形成するためには一つの金型では困難で複数の金型が必要となり、その結果、製造コストが高くなり、安価に製造することができないという製造上の課題があった。
【０００４】
この考案は、上記のような課題に鑑み、その課題を解決すべく創案されたものであって、その目的とするところは、吊物の下端側を別途支持することなく吊物の吊り傾斜角度を任意の角度で壁などの掛面に吊り掛けることができ、しかも一つの金型で製造でき、その製造コストを安価にすることのできる吊り傾斜角度自在な吊り具を提供することにある。
【課題を解決するための手段】
【０００５】
以上の目的を達成するために、請求項１の考案は、吊物が掛けられる掛面に着脱自在に係止され且つ吊物の裏面側の任意位置で左右の吊り紐を介して吊物を吊持する吊り盤を設け、該吊り盤の左右両側に紐係合縦軸をそれぞれ設け、左右の各紐係合縦軸の側周面にその周面方向に複数の凹凸を有し軸芯方向に沿って同一の凹凸が延伸された接触摩擦抵抗係合凹凸面を形成し、吊り盤の左右両側の上記吊り紐係合縦軸の側周面の接触摩擦抵抗係合凹凸面に任意の中間部分がそれぞれ螺旋状に係合される左右の上記各吊り紐の上下両端を吊物の裏面側の左右の上下側に設けられた吊り紐連結具にそれぞれ連結し、吊物の吊持時に吊り盤の左右両側の上記各吊り紐係合縦軸の接触抵抗係合凹凸面に対して螺旋状に係合される左右の吊り紐の任意位置の係合部分と接触摩擦抵抗係合凹凸面との接触摩擦抵抗による係止により、掛面に係止される吊り盤に対して吊物を任意の吊り傾斜角度で吊るようにした手段よりなるものである。なお、吊り紐にはチェーンやピアノ線、針金などの物を吊る場合に使用される線状のものも含まれる。
【０００６】
また、請求項２の考案は、吊物が掛けられる掛面に着脱自在に係止され且つ吊物の裏面側の任意位置で左右の吊り紐を介して吊物を吊持する吊り盤を設け、該吊り盤の左右両側に円柱形状の紐係合縦軸をそれぞれ設け、左右の各紐係合縦軸の側周面にその周面方向に複数の凹凸を有し軸芯方向に沿って同一の凹凸が延伸された接触摩擦抵抗係合凹凸面を形成し、左側吊り紐係合縦軸と右側吊り紐係合縦軸の間に基板を一体的に設けて該基板を通じて左側吊り紐係合縦軸と右側吊り紐係合縦軸を連結し、左右の吊り紐係合縦軸の上下両端側の互いに向かい合う上下側端の間に基板の上下端側に位置して互いに平行な上縁片と下縁片とを一体的に設け、基板の中央側に吊り盤を掛面の引掛具に引っ掛けられて係止されるための係止溝孔を上下方向に形成し、係止溝孔の下部に係止溝孔の溝幅より直径が大きな引掛具挿入孔を形成し、係止溝孔の引掛具挿入孔との出入り口側の両側を弾性機能を有する側片によりそれぞれ形成し、左右の吊り紐係合縦軸に接する側の基板の上下側には吊り紐が挿入される上部ガイド孔及び下部ガイド孔をそれぞれ形成し、吊り盤の左右両側の上記吊り紐係合縦軸の側周面の接触摩擦抵抗係合凹凸面に任意の中間部分がそれぞれ螺旋状に係合される左右の上記各吊り紐の上下両端を吊物の裏面側の左右の上下側に設けられた吊り紐連結具にそれぞれ連結し、吊物の吊持時に吊り盤の左右両側の上記各吊り紐係合縦軸の接触抵抗係合凹凸面に対して螺旋状に係合される左右の吊り紐の任意位置の係合部分と接触摩擦抵抗係合凹凸面との接触摩擦抵抗による係止により、掛面に係止される吊り盤に対して吊物を任意の吊り傾斜角度で吊るようにした手段よりなるものである。なお、吊り紐にはチェーンやピアノ線、針金などの物を吊る場合に使用される線状のものも含まれる。
【考案の効果】
【０００７】
以上の記載より明らかなように、請求項１〜請求項２の考案に係る吊り傾斜角度自在な吊り具によれば、例えば額縁や掛け時計などの吊物の下端側を別途支持することなく吊物の吊り傾斜角度を任意の角度で壁などの掛面に吊り掛けることができるという極めて実用的有益なる効果を奏するものである。
しかも、従来の左回りの螺旋係合溝及び右回りの螺旋係合溝と異なり、左右の各紐係合縦軸の側周面に形成された接触摩擦抵抗係合凹凸面は、その周面方向に複数の凹凸を有し軸芯方向に沿って同一の凹凸が延伸された形状であるため、一つの金型で製造することができ、その製造コストを安価にすることが可能となる。
【０００８】
また、請求項２の考案に係る吊り傾斜角度自在な吊り具によれば、上記の効果に加えて、係止溝孔の引掛具挿入孔との出入り口側の両側を弾性機能を有する側片によりそれぞれ形成することにより、出入り口側の溝幅より少し幅広な引掛具であってもその弾性機能を利用して拡げて引掛具を係止溝孔内に容易に押し入れることができ、又取り出す場合も側片の弾性機能を利用して引掛具を容易に取り出すことができる。しかも、左右の吊り紐係合縦軸に接する側の基板の上下側には吊り紐が挿入される上部ガイド孔及び下部ガイド孔をそれぞれ形成したので、左右の吊り紐係合縦軸に螺旋状に巻かれた吊り紐の任意の中間部分が左右の吊り紐係合縦軸から外れるのを確実に防ぐことができる。さらに、左右の各紐係合縦軸及び上下の上縁片と下縁片とにより、吊り具の剛性を高めることができる。
【考案を実施するための最良の形態】
【０００９】
以下、図面に記載の考案を実施するための最良の形態に基づいて、この考案をより具体的に説明する。
ここで、図１（Ａ）は吊り傾斜角度自在な吊り具の正面図、図１（Ｂ）は吊り傾斜角度自在な吊り具の側面図、図１（Ｃ）は図１（Ａ）のＡ−Ａ矢視断面図、図１（Ｄ）は吊り傾斜角度自在な吊り具の平面図、図１（Ｅ）は図１（Ａ）のＢ−Ｂ矢視断面図、図１（Ｆ）は吊り傾斜角度自在な吊り具の背面図、図２は全体背面図、図３（Ａ）は吊り傾斜角度が大きい場合の側面図、図３（Ｂ）は吊り傾斜角度が小さい場合の側面図である。
【００１０】
図において、吊り傾斜角度自在な吊り具１は、吊物１０の下端側を別途支持することなく吊物１０の吊り傾斜角度を任意の角度で壁などの掛面ａに吊り掛けることのできるもので、例えば額縁や掛け時計などからなる吊物１０の裏面側１０ａの任意位置に左右の吊り紐２，３を介して吊持する吊り盤４、吊り盤４の左右両側に設けられた左右の各吊り紐係合縦軸５，６、左右の吊り紐係合縦軸５，６の側周面に形成された接触摩擦抵抗係合凹凸面７，８などから構成される。なお、吊り紐２，３にはチェーンやピアノ線、針金などの物を吊る場合に使用される線状のものも含まれる。
【００１１】
例えば額縁からなる吊物１０の裏面側１０ａには、その中央を挟んでその左右両側の上下部分の左右対称位置の４箇所に、左上部吊り紐連結具１１ａ、左下部吊り紐連結具１１ｂ、右上部吊り紐連結具１２ａ、右下部吊り紐連結具１２ｂがそれぞれ設けられている。左上部吊り紐連結具１１ａ、左下部吊り紐連結具１１ｂには左側の吊り紐２の上下両端が連結されている。右上部吊り紐連結具１２ａ、右下部吊り紐連結具１２ｂには右側の吊り紐３の上下両端が連結されている。
【００１２】
吊り盤４の左右両側には、図１（Ｆ）、図２において、縦方向に軸芯を有する円柱形状の左側吊り紐係合縦軸５と右側吊り紐係合縦軸６とがそれぞれ設けられている。なお、左右は、吊物１０の裏面側１０ａを基準にしたため、図１（Ａ）に示す吊り傾斜角度自在な吊り具１の正面図では左右が逆の状態になる。左側吊り紐係合縦軸５と右側吊り紐係合縦軸６の間には基板４ｃが一体的に設けられていて、左側吊り紐係合縦軸５と右側吊り紐係合縦軸６とはこの基板４ｃを通じて連結されている。また、左側吊り紐係合縦軸５及び右側吊り紐係合縦軸６の上下両端側の互いに向かい合う上下側端の間には、吊り盤４の基板４ｃの上下端側に位置して互いに平行な上縁片４ａと下縁片４ｂとが一体的に設けられている。
【００１３】
上縁片４ａと下縁片４ｂとは吊り盤４の中央部位にある基板４ｃによって連結されている。つまり基板４ｃの上下両端に上縁片４ａと下縁片４ｂとがこれに直角に形成されている。基板４ｃの中央側には吊り盤４を壁などの掛面ａの例えばフックなどの引掛具に引っ掛けられて係止されるための係止溝孔４ｄが上下方向に形成されている。
【００１４】
係止溝孔４ｄの下部には係止溝孔４ｄの溝幅より直径が大きな円形状の引掛具挿入孔４ｅが形成されている。直径が大きな円形状の引掛具挿入孔４ｅは掛面ａの例えばフックなどの引掛具が抵抗無く入れる大きさである。掛面ａの例えばフックなどの引掛具は先ずこの大きな引掛具挿入孔４ｅに入れてから狭い係止溝孔４ｄに通すようになっている。
【００１５】
係止溝孔４ｄの引掛具挿入孔４ｅとの出入り口側の両側は、上下方向に一部が切り抜かれた弾性機能を有する側片４ｆによりそれぞれ形成されている。両側の側片４ｆの下端側はそれぞれ係止溝孔４ｄの内側に向かって少し膨らんでいて、引掛具挿入孔４ｅとの境界となる係止溝孔４ｄの出入り口側の溝幅を内部側の溝幅より狭めていて、係止溝孔４ｄからフックなどが外れにくくなるように形成されている。
【００１６】
また、両側の側片４ｆの下端側は、フックなどの引掛具の引掛具挿入孔４ｅからの係止溝孔４ｄへの挿入及び係止溝孔４ｄから挿入孔４ｅへの取り出すだす場合に、弾性状に左右に開いて一時的に係止溝孔４ｄの溝の出入り口側を拡げる機能を果たす。一時的に拡げた両側の側片４ｆは弾性復帰して係止溝孔４ｄの出入り口側の溝幅を元の幅に戻す。
【００１７】
吊り盤４の左右両側に設けられた円柱形状の左側吊り紐係合縦軸５及び右側吊り紐係合縦軸６の側周面には、その周面方向に複数の凹凸を有し軸芯方向に沿って同一の凹凸が延伸された接触摩擦抵抗係合凹凸面７，８がそれぞれ形成されている。接触摩擦抵抗係合凹凸面７，８の周面方向に形成された複数の凹凸は軸芯方向つまり上下方向に延びているため、一つの金型を用い製作することが可能となる。接触摩擦抵抗係合凹凸面７，８は、吊り盤４の例えば正面側及び裏面側の吊り紐係合縦軸５，６の側周面にそれぞれ形成されている。
【００１８】
左側吊り紐係合縦軸５には、吊物１０の裏面側１０ａの左側の左上部吊り紐連結具１１ａ、左下部吊り紐連結具１１ｂに上下両端が連結された左側の吊り紐２の任意の中間部分が螺旋状に数回巻かれて係合されている。左側吊り紐係合縦軸５に接する側の基板４ｃの上下側には吊り紐２が挿入される上部ガイド孔５ａ及び下部ガイド孔５ｂがそれぞれ形成されていて、吊り紐２が左側吊り紐係合縦軸５から外れないようにガイドされている。
【００１９】
右側吊り紐係合縦軸６には、吊物１０の裏面側１０ａの左側の左上部吊り紐連結具１２ａ、左下部吊り紐連結具１２ｂに上下両端が連結された左側の吊り紐３の任意の中間部分が螺旋状に数回巻かれて係合されている。右側吊り紐係合縦軸６に接する側の基板４ｃの上下側には吊り紐３が挿入される上部ガイド孔６ａ及び下部ガイド孔６ｂがそれぞれ形成されていて、吊り紐３が右側吊り紐係合縦軸６から外れないようにガイドされている。
【００２０】
吊り紐２，３の上下端と吊り紐係合縦軸５，６の間の吊り紐２，３が張った状態で、吊り紐係合縦軸５，６に螺旋状に数回巻かれた吊り紐２，３の任意位置の係合部分は接触摩擦抵抗係合凹凸面７，８との接触摩擦抵抗によって係止される。つまり、左側吊り紐係合縦軸５が左側に設けられた吊り盤４は、吊り紐２の係合部分と接触摩擦抵抗係合凹凸面７の周面方向の複数の凹凸のうち凸部分との接触摩擦抵抗によって上下方向への移動が阻止される。同様に、右側吊り紐係合縦軸６が右側に設けられた吊り盤４は、吊り紐３の係合部分と接触摩擦抵抗係合凹凸面８の周面方向の複数の凹凸のうち凸部分との接触摩擦抵抗によって上下方向への移動が阻止される。
【００２１】
このように、吊り盤４は、左右の吊り紐２，３が張った状態で、その左右両側の吊り紐係合縦軸５，６の接触摩擦抵抗係合凹凸面７，８が吊り紐２，３との接触摩擦抵抗によって、上下方向への移動が阻止される。そして、吊り盤４は、その左右両側が上下方向への移動が阻止されることになるため、その結果、左右方向への移動も阻止されることになる。そして、吊り盤４は、吊物１０の裏面側１０ａの４箇所の左上部吊り紐連結具１１ａ、左下部吊り紐連結具１１ｂ、右上部吊り紐連結具１２ａ及び右下部吊り紐連結具１２ｂと、吊り紐２，３によって所謂４点１極吊持の状態になっている。
【００２２】
上下左右方向への移動が阻止された吊り盤４には、左右の張った状態の吊り紐２，３を介して吊物１０が吊持されている。このため、この吊り盤４を壁などの掛面ａに引っ掛けて係止すると、上下左右方向への移動が阻止された吊り盤４によって吊物１０も上下左右方向への移動が阻止され、これにより、壁などの掛面ａに係止される吊り盤４に対して、左右の張った状態の吊り紐２，３を介して吊物１０を任意の吊り傾斜角度で吊ることが可能になる。
【００２３】
次に、上記考案を実施するための最良の形態の構成に基づく作用について以下説明する。
例えば額縁や掛け時計などの吊物１０を壁などの掛面ａに引っ掛ける場合においては、吊物１０を吊持したい箇所の掛面ａに例えばフックなどの引掛具を取り付けて固定し、掛面ａに固定した引掛具の頭部に吊り盤４の基板４ｃに形成された係止溝孔４ｄを嵌合して、吊り盤４を掛面ａに固定した引掛具に引っ掛けて係止する。掛面ａに固定した引掛具に引っ掛けられる吊り盤４には吊り紐２、吊り紐３を通じて吊物１０が吊持されている。
【００２４】
吊り盤４を掛面ａに固定した引掛具に引っ掛けた後に、吊物１０の両側を手で掴んで吊物１０の下端を掛面ａに当接させ、当接させた吊物１０の下端を基準として掛面ａに対して吊物１０の傾斜角度を好みの角度にする。
【００２５】
吊物１０の傾斜角度を好みの角度に調整時、吊物１０の裏面側１０ａの左側の上下及び右側の上下に上下両端がそれぞれ連結されている吊り紐２及び吊り紐３はその中間部分の一部が、吊り盤４の両側の吊り紐係合縦軸５の接触摩擦抵抗係合凹凸面７及び吊り紐係合縦軸６の接触摩擦抵抗係合凹凸面８にそれぞれ螺旋状に数回巻かれて係合しているが、吊り紐２及び吊り紐３が張った状態にない場合には、これらの係合部分は接触摩擦抵抗係合凹凸面７，８との間で十分な接触滑りがあるため、吊り紐２及び吊り紐３の係合部分は接触摩擦抵抗係合凹凸面７，８に対して螺旋状に移動する。
【００２６】
このため、掛面ａに対する吊物１０の傾斜角度を好みの角度に調整させることができる。この調整時には、掛面ａに引っ掛けられた吊り盤４が吊り紐２及び吊り紐３に対して相対的に上下方向に移動するが、吊り盤４の吊り紐２及び吊り紐３に対する相対的な上下方向への移動を通じて吊物１０の傾斜角度を任意の角度に調整することが可能となる。
【００２７】
例えば吊物１０の上部側を手前側に出したい場合つまり吊物１０の傾斜角度を大きくしたい場合には、吊り盤４を吊り紐２及び吊り紐３の下部側に相対的に移動させる。逆に吊物１０の上部側を掛面ａに近づける場合つまり吊物１０の傾斜角度を小さくしたい場合には、吊り盤４を吊り紐２及び吊り紐３の上部側に相対的に移動させる。
【００２８】
このようにして、掛面ａに対して吊物１０の傾斜角度を好みの角度に調整した後に、吊物１０を掴んでいる手を離すと、吊物１０の重さによって裏面側１０ａと吊り盤４との間の左右の吊り紐２及び吊り紐３は張った状態になる。
【００２９】
吊り盤４は、左右の吊り紐２，３が張った状態になると、その左右両側の吊り紐係合縦軸５，６の接触摩擦抵抗係合凹凸面７，８が吊り紐２，３との接触摩擦抵抗により、吊り紐２，３が接触摩擦抵抗係合凹凸面７，８の接触する凸部分に対して滑らなくなることによって、上下左右方向への移動が阻止される。
【００３０】
これにより、左右の吊り紐２，３によって吊り盤４に吊持されている吊物１０は、吊り盤４の上下左右方向への移動が阻止されることによって、掛面ａに対して所望の好みの傾斜角度で固定されて吊持されることになる。
【００３１】
また、掛面ａに対する吊物１０の傾斜角度をその後に変えたい場合には、上記同様に吊物１０の両側を掴んで傾斜角度を角度を変えた後に吊物１０を掴んでいる手を離すのみで、簡単に好みの他の傾斜角度に吊物１０を固定することができる。
【００３２】
なお、この考案は上記考案を実施するための最良の形態に限定されるものではなく、この考案の精神を逸脱しない範囲で種々の改変をなし得ることは勿論である。
【図面の簡単な説明】
【００３３】
【図１】（Ａ）はこの考案を実施するための最良の形態を示す吊り傾斜角度自在な吊り具の正面図である。  （Ｂ）はこの考案を実施するための最良の形態を示す吊り傾斜角度自在な吊り具の側面図である。  （Ｃ）は図１（Ａ）のＡ−Ａ矢視断面図である。  （Ｄ）はこの考案を実施するための最良の形態を示す吊り傾斜角度自在な吊り具の平面図である。  （Ｅ）は図１（Ａ）のＢ−Ｂ矢視断面図である。  （Ｆ）はこの考案を実施するための最良の形態を示す吊り傾斜角度自在な吊り具の背面図である。
【図２】この考案を実施するための最良の形態を示す全体背面図である。
【図３】（Ａ）はこの考案を実施するための最良の形態を示す吊り傾斜角度が大きい場合の側面図である。  （Ｂ）はこの考案を実施するための最良の形態を示す吊り傾斜角度が小さい場合の側面図である。
【符号の説明】
【００３４】
１    吊り傾斜角度自在な吊り具
２    吊り紐
３    吊り紐
４    吊り盤
４ａ  上縁片
４ｂ  下縁片
４ｃ  基板
４ｄ  係止溝孔
４ｅ  引掛具挿入孔
４ｆ  側片
５    左側吊り紐係合縦軸
６    右側吊り紐係合縦軸
７    接触摩擦抵抗係合凹凸面
７ａ  上部ガイド孔
７ｂ  下部ガイド孔
８    接触摩擦抵抗係合凹凸面
８ａ  上部ガイド孔
８ｂ  下部ガイド孔
１０    吊物
１０ａ  裏面側
１１ａ  左上部吊り紐連結具
１１ｂ  左下部吊り紐連結具
１２ａ  右上部吊り紐連結具
１２ｂ  右下部吊り紐連結具
ａ    掛面
【図１】
0003112363.tif 000003
【図２】
0003112363.tif 000004
【図３】
0003112363.tif 000005